(57)【要約】【課題】効率よく光を取り出し、照明領域をより均一に照明することができ、低コストで製作し得る照明ユニットおよび照明装置を提供する。【解決手段】  照明装置１００は、筒状部材１０と、光源体２０と、端面部材３０と、反射板４０とから構成される。筒状部材１０の内周面に先端が鋭角である複数の突部１１が形成される。この突部１１は、筒状部材１０の長手方向に対して所定間隔をおき横方向に帯状とされ、筒状部材１０と同一材料で一体に成型され、また、突部１１の間の底辺は凹形の曲面、例えば半円形に形成されており、突部１１の先端は、１５〜６０度の角度で形成される。【選択図】        図２
2007200612.tif 000002
【特許請求の範囲】
【請求項１】
透明または半透明樹脂から成型され、内周面の長手方向に対して所定間隔を置いて幅方向に帯状とされ、先端が鋭角である多数の突部が列設される２つの半筒状部材を組み立てて構成される筒状部材と、
前記筒状部材の内部へ照射するように前記筒状部材の一端または両端に配置される光源体とを備えることを特徴とする照明装置。
【請求項２】
透明または半透明樹脂から成型され、内周面の長手方向に対して所定間隔をおき横方向に帯状とされ、先端が鋭角である多数の突部が列設される２つの半筒状部材を組み立てて構成される筒状部材と、
前記筒状部材の内部へ照射するように前記筒状部材の一端または両端に配置される光源体と、
前記筒状部材の両端にそれぞれ配置され、互いに嵌合可能な凸部または凹部を有する端面部材と、
前記筒状部材の両端に配置され端面部材に着脱可能に装着され、前記光源体への配線手段とを備えることを特徴とする照明装置。
【請求項３】
前記突部の間の底辺をフラット状、または凹形の曲面にすることを特徴とする請求項１または請求項２に記載の照明装置。
【請求項４】
前記多数の突部のうち所定数の突部がほかより高く形成され、かつ前記筒状部材の中央に位置する突部は、最も高く形成されることを特徴とする請求項３に記載の照明装置。
【請求項５】
前記筒状部材の外周面には、長手方向に沿って多数の帯状または点状の凸部が形成されることを特徴とする請求項１ないし請求項４のいずれかに記載の照明装置。
【請求項６】
前記筒状部材の一端または両端に、光を前記筒状部材の内部へ反射させる反射板を設けることを特徴とする請求項１ないし請求項５のいずれかに記載の照明装置。
【請求項７】
前記筒状部材は、楕円形断面もしくは長円形断面を有することを特徴とする請求項１ないし請求項６のいずれかに記載の照明装置。
【請求項８】
前記光源体は、発光ダイオードであり、乾電池を発光ダイオードの電源とすることを特徴とする請求項１ないし請求項７のいずれかに記載の照明装置。
【請求項９】
透明または半透明樹脂から成型され、内周面の長手方向に対して所定間隔を置いて幅方向に帯状とされ、先端が鋭角である多数の突部が列設される２つの半筒状部材を組み立てて構成される筒状部材と、
前記筒状部材の内部へ照射するように前記筒状部材の一端または両端に配置される光源体と、
前記筒状部材の両端にそれぞれ配置され、接続部を有する端面部材と、
前記光源体への配線手段とを備えることを特徴とする照明ユニット。
【請求項１０】
前記突部の間の底辺をフラット状、または凹形の曲面にすることを特徴とする請求項９に記載の照明ユニット。
【請求項１１】
請求項９または請求項１０のいずれかに記載された照明ユニットを複数用い連結してからなることを特徴とする照明装置。
【発明の詳細な説明】
【技術分野】
【０００１】
本発明は、一端または両端に光源を配置する管状照明装置、特に、発光ダイオード（ＬＥＤ）を光源として用いられた照明ユニットおよび照明装置に関する。
【背景技術】
【０００２】
従来、管状照明装置としては、蛍光管などの放電管や、ＬＥＤチップを多数、アレイ状に並べたＬＥＤアレイが用いられている。
近年、発光ダイオードを光源とする管状照明装置が提案されている（例えば、特許文献１参照）。
【０００３】
図１２は、発光ダイオードを光源とする管状照明装置の例を示す図である。この場合、照明装置において、１は筒状をなすとともにその外周面１ａが透明又は半透明の光取出面を構成する光伝達部材、２はその筒状の光伝達部材１の軸方向に沿う開放端に配置され、該光伝達部材１の内部空間３に軸方向に沿って指向性を有する光を発生させるＬＥＤランプ等の光源体、４は前記光伝達部材１の内周面１ｃに、該光伝達部材１の内部空間３に向って、半径方向に突出する突部４ａを点在した状態で形成した透明又は半透明の突部形成体である。
【０００４】
光伝達部材１の材質は、ガラス又はプラスチック、例えばポリカーボネートを用いた。他方、突部形成体４は、シリコーンゴムを用いた。この場合、シリコーンゴムを光伝達部材１の内周面１ｃに適宜の機械的手段で図示のごとく軸方向に対して所定間隔をおいて横方向に帯状の突条の突部４ａを形成するように塗布する。シリコーンゴム自体の接着性により光伝達部材１の内周面１ｃに付着されるとともに硬化状態で突部４ａを内周面１ｃに点在した配置状態で維持することができる。
【０００５】
これにより、突部において光を乱反射させることができ、直進性を有する光源からの光を光伝達部材１の側壁から外部へ照射させることができる。
【０００６】
【特許文献１】特許第３２４３４６６号公報
【発明の開示】
【発明が解決しようとする課題】
【０００７】
しかし、上述した従来の照明装置は、突部形成体４にシリコーンゴムを用いるため、透明度が低下し、この突部形成体４が設けられた部分が黒くなるという問題点がある。また、シリコーンゴムを塗布して突部形成体４を形成する際に、突部形成体４以外の筒状光伝達部材の内表面にもシリコーンゴムが薄く塗布されるため、透明度が低下し、光の取り出しを影響するという問題点がある。
【０００８】
また、シリコーンゴムを塗布して突部形成体４を形成するため、塗布、硬化等複雑な製造過程が必要となるので、生産コストが高く、生産効率が悪いという問題がある。
【０００９】
そこで、本発明は、このような問題点を考慮してなされたもので、効率よく光を取り出し、照明領域をより均一に照明することができ、低コストで製作し得る照明ユニットおよび照明装置を提供することを目的とする。
【課題を解決するための手段】
【００１０】
本発明に係る照明装置は、透明または半透明樹脂から成型され、内周面の長手方向に対して所定間隔を置いて幅方向に帯状とされ、先端が鋭角である多数の突部が列設される２つの半筒状部材を組み立てて構成される筒状部材と、前記筒状部材の内部へ照射するように前記筒状部材の一端または両端に配置される光源体とを備えるものである。
【００１１】
また、本発明に係る照明装置は、透明または半透明樹脂から成型され、内周面の長手方向に対して所定間隔を置いて幅方向に帯状とされ、先端が鋭角である多数の突部が列設される２つの半筒状部材を組み立てて構成される筒状部材と、前記筒状部材の内部へ照射するように前記筒状部材の一端または両端に配置される光源体と、前記筒状部材の両端にそれぞれ配置され、互いに嵌合可能な凸部または凹部を有する端面部材と、前記筒状部材の両端に配置され端面部材に着脱可能に装着され、前記光源体への配線手段とを備えるものである。
【００１２】
例えば、前記突部の間の底辺をフラット状、または凹形の曲面にする。また、前記多数の突部のうち所定数の突部がほかより高く形成され、かつ前記筒状部材の中央に位置する突部は、最も高く形成される。また、前記筒状部材の外周面には、長手方向に沿って多数の帯状または点状の凸部が形成される。
【００１３】
また、前記筒状部材の一端または両端に、光を前記筒状部材の内部へ反射させる反射板を設ける。
また、前記筒状部材は、楕円形断面もしくは長円形断面を有する。
また、前記光源体は、発光ダイオードであり、乾電池を発光ダイオードの電源とする。
【００１４】
また、本発明に係る照明ユニットは、透明または半透明樹脂から成型され、内周面の長手方向に対して所定間隔を置いて幅方向に帯状とされ、先端が鋭角である多数の突部が列設される２つの半筒状部材を組み立てて構成される筒状部材と、前記筒状部材の内部へ照射するように前記筒状部材の一端または両端に配置される光源体と、前記筒状部材の両端にそれぞれ配置され、接続部を有する端面部材と、前記光源体への配線手段とを備えるものである。
【００１５】
例えば、前記突部の間の底辺をフラット状、または凹形の曲面にする。
また、本発明に係る照明装置は、照明ユニットを複数用い連結してからなる。
【００１６】
本発明においては、透明または半透明樹脂から成型される筒状部材の内表面に多数の突部が形成され、これらの突部は、筒状部材の長手方向に対して所定間隔を置いて幅方向に帯状とされ、筒状部材と同一材料で一体に成型される。
【００１７】
これにより、シリコーンゴムを用いずに、突部を有する部分が黒くならず、照明領域をより均一に照明することが可能となる。また、シリコーンゴムの塗布、硬化等の複雑な製造過程が必要とせず、低コストで製作することが可能となる。
【００１８】
また、突部の先端部は、鋭角に形成されるため、多方向に光が反射し、効率よく光を乱反射することが可能となる。また、突部と突部の間隔を狭くすると繊細でシャープな光になり、一方間隔を広くすると優しいやわらかな光を得られる。また、突部の間の底辺を凹形の曲面にすることで、光をより多く取り出すことが可能となる。また、突部の先端部は、鋭角であるため、光の熱を蓄熱しにくい。さらに、複数の突部のうち所定数の突部がほかより高く形成され、かつ筒状部材の中央に位置する突部は、最も高く形成されるため、光の乱反射量を増加させ、光をより多く取り出すことが可能となる。
【００１９】
また、筒状部材の外周面には、長手方向に沿って多数の帯状または点状の凸部が形成されることで、拡光効果を向上することが可能となる。
【００２０】
また、複数の同様構成を有する照明ユニットを連結して照明装置を構成する。これによって、照明装置の長さを比較的に自由に設定することが可能となる。また、必要に応じてワット数の高い照明装置を容易に構成する。
【００２１】
また、筒状部材の断面を楕円形断面もしくは長円形断面にすることで、楕円形断面もしくは長円形断面の短軸方向から効率よく光を取り出すことが可能となる。
【発明の効果】
【００２２】
本発明によれば、筒状部材の内表面に多数の突部が形成され、これらの突部は、筒状部材の長手方向に対して所定間隔を置いて幅方向に帯状とされ、筒状部材と同一材料で一体に成型されることで、輝度むらをなくし、照明領域をより均一に照明することができ、さらに効率よく取り出すことができる。また、従来のようなシリコーンゴムの塗布、硬化等の複雑な製造過程が必要とせず、低コストを図ることができる。
【００２３】
また、突部の先端部は、鋭角に形成されるため、多方向に光が反射し、効率よく光を乱反射することができる。また、突部と突部の間隔を狭くすると繊細でシャープな光になり、一方間隔を広くすると優しいやわらかな光を得られる。また、突部の間の底辺を凹形の曲面にすることで、光をより多く取り出すことができる。また、突部の先端部は、鋭角であるため、光の熱を蓄熱しにくい。さらに、複数の突部のうち所定数の突部がほかより高く形成され、かつ筒状部材の中央に位置する突部は、最も高く形成されるため、光の乱反射量を増加させ、光をより多く取り出すことができる。
【００２４】
また、筒状部材の外周面には、長手方向に多数の帯状または点状の凸部が形成されることで、拡光効果を向上することができる。また、筒状部材の断面を楕円形断面もしくは長円形断面にすることで、楕円形断面もしくは長円形断面の短軸方向から効率よく光を取り出すことが可能である。
また、発光ダイオード光源を用いることで、消費電力も小さく、蛍光灯に代えて、安全に用いることができる。
また、必要に応じて複数の同様構成を有する照明ユニットを連結してワット数の高い照明装置を容易に構成することができる。
【発明を実施するための最良の形態】
【００２５】
以下、図面を参照しながら、本発明の実施の形態の照明ユニットおよび照明装置について説明する。ここで、例として両端に発光ダイオード光源を有する場合を説明する。
図１は、第１の実施の形態の照明装置の構成を示す斜視図である。図２は、第１の実施の形態の照明装置の構成を示す断面図である。図３は、照明装置１００の構成を示すＡ−Ａ断面図である。
【００２６】
図１、図２および図３に示すように、照明装置１００は、筒状部材１０と、光源体２０と、端面部材３０と、反射板４０とから構成されている。
【００２７】
筒状部材１０は、透明または半透明樹脂から成型される２つの半筒状部材１０ａ，１０ｂより接着して構成される。接着は、接着剤を用いて、または超音波溶接を用いて行うことが考えられる。また、筒状部材１０の内周面に先端が鋭角である複数の突部１１が形成される。この突部１１は、筒状部材１０の長手方向に対して所定間隔をおき横方向に帯状とされ、筒状部材１０と同一材料で一体に成型される。ここで、２つの半筒状部材１０ａ，１０ｂを同一金型で成型することで、コストを抑えることができる。筒状部材１０の材質は、例えば透明性のウレタン、アクリル樹脂、または透明性、耐衝撃性、耐燃性に優れたポリカーボネートが望ましい。
【００２８】
また、突部１１の間の底辺は凹形の曲面、例えば半円形に形成されている。これにより、突部１１の間の底辺での光反射が少なくなり、光の外部への出射量が多くなる。また、突部１１の間は所定距離を有するようになされている。突部１１の間の距離は筒状部材１０の直径に比例する。また、突部１１の先端の角度θ（先端部が曲面状に形成される場合、突部１１の両側辺より形成された角度）は、９０度以下に、例えば１５〜６０度に形成されるのが望ましい。突部１１の先端の角度θは、筒状部材１０の直径に比例して設計される。この例においては、突部１１の先端の角度θを２５度とした。
【００２９】
光源体２０は、発光ダイオード（ＬＥＤ）である。一端に７個の発光ダイオードが配置されている。なお、発光ダイオードの代わりに他の指向性ないし直進性の強い光源体を用いてもよい。
【００３０】
端面部材３０は、透明または半透明樹脂から形成される。この端面部材３０の嵌合部３４は筒状部材１０の端部１４に嵌合することができる。嵌合部３４には位置決め用凸部３５が設けられ、嵌合する際に筒状部材１０の端部１４に設けられた切欠部３５に挿入して位置決めを行う。また、端面部材３０に配線用切欠部３６が設けられている。端面部材３０と筒状部材１０とは、接着材を用いて、または超音波溶接を用いて接続される。また、端面部材３０は、筒状部材１０の端部を封止すると共に、光源体２０を取付するための光源体取付部３０ａを有する。光源体取付部３０ａには、光源体２０を装着するための取付孔が設けられている。端面部材３０の材質は、例えばウレタン、または透明性、耐衝撃性、耐燃性に優れたポリカーボネートが望ましい。
【００３１】
反射板４０は、少なくとも片面に光を反射させるための鏡面を有する。この反射板４０は、端面部材３０の外端に取り付けられる。ここで、平板状の反射板４０を用いたが、これに限定されるものではない。例えば、蓋状に形成して、端面部材３０の外周面、または内周面に嵌合して装着するようにしてもよい。
【００３２】
また、図３に示すように、半筒状部材１０ａ，１０ｂの継ぎ目の位置に電力を供給するための配線部材２１，２２が配置され、配線部材２１，２２はそれぞれ筒状部材１０の両端に配置された光源体２０のプラス端子とマイナス端子に接続される。配線部材２１，２２が筒状部材１０の外表面に配置されるため、放熱効果を向上することが可能である。
【００３３】
なお、この例では、配線部材２１，２２が筒状部材１０の外表面に配置されているが、これに限定されるものではない。例えば、配線部材２１，２２を外部に露出させず、半筒状部材１０ａ，１０ｂの継ぎ目の中に配設するようにしてもよい。また、配線部材２１，２２を電源としての乾電池に接続して、簡単に小型の照明装置を構成することができる。
【００３４】
図４は、照明装置１００の光拡散状態を示す局部拡大図である。この図４において、片方からの光のみを示しているが、他方からの光も同じ原理で拡散される。図４に示すように、光源体２０からの光は、突部１１により拡散されて筒状部材１０の外部へ照射するようになる。突部１１は筒状部材１０と同一材料で一体に成型され、また、突部１１の間を所定距離にし、さらに、突部１１の先端を１５〜６０度の角度にすることで、内部の光をより効果的に取り出すことができる。また、突部１１の間の底辺は凹形の曲面、例えば半円形に形成されているため、突部１１の間の底辺での光反射が少なくなり、光の外部への出射量が多くなる。
【００３５】
このように本実施の形態においては、照明装置１００は、筒状部材１０と、光源体２０と、端面部材３０と、反射板４０とから構成される。筒状部材１０の内周面に先端が鋭角である複数の突部１１が形成される。この突部１１は、筒状部材１０の長手方向に対して所定間隔を置いて幅方向に帯状とされ、筒状部材１０と同一材料で一体に成型され、また、突部１１の間の底辺は凹形の曲面、例えば半円形に形成されており、また、突部１１の先端を１５〜６０度の角度にする。
【００３６】
これにより、輝度むらをなくし、照明領域をより均一に照明することができ、さらに突部１１の間の底辺は半円形に形成されることで、壁の厚さを薄く形成することができ、光を効率よく取り出すことができる。また、突部１１の先端部は、鋭角であるため、光の熱を蓄熱しにくい効果が得られる。
【００３７】
また、従来のようなシリコーンゴムの塗布、硬化等の複雑な製造過程が必要とせず、低コストを図ることができる。
【００３８】
また、発光ダイオード光源を用いることで、修繕回数を大幅に減少し、連続して長時間の照明が可能となり、電気消費量が低くなり、照度を自在に高めることが可能で、形状も自由とすることができ、ＬＥＤの効果的使用によりコストダウンを図ることができる。
【００３９】
次に、本発明の第２の実施の形態の照明装置について説明する。図５は、第２の実施の形態の照明装置の構成を示す断面図である。
【００４０】
図５に示すように、照明装置２００は、筒状部材１０と、光源体２０と、端面部材３０と、反射板４０とから構成されている。
【００４１】
筒状部材１０は、透明または半透明樹脂から形成される２つの半筒状部材１０ａ，１０ｂより接着して構成される。接着は、接着剤を用いて、または超音波溶接を用いて行うことが考えられる。また、筒状部材１０の内周面に先端が鋭角である複数の突部１１が形成される。この突部１１は、筒状部材１０の長手方向に対して所定間隔をおき横方向に帯状とされ、筒状部材１０と同一材料で一体に成型される。
【００４２】
また、突部１１の間は所定距離を有するようになされている。また、突部１１の間の底辺は直線状に形成されており、突部１１の先端の角度θ（先端部が曲面状に形成される場合、突部１１の両側辺より形成された角度）は、９０度以下に、例えば１５〜６０度に形成されるのが望ましい。この例においては、突部１１の先端の角度θを２５度とした。
【００４３】
また、光源体２０、端面部材３０、および反射板４０の構成は、照明装置１００と同様である。この場合、突部１１の間の底辺は直線状であるため、金型の設計が容易になる利点がある。
【００４４】
図６は、照明装置２００の光拡散状態を示す局部拡大図である。図６に示すように、光源体２０からの光は、突部１１により拡散されて筒状部材１０の外部へ照射するようになる。突部１１は筒状部材１０と同一材料で一体に成型され、また、突部１１の間を所定距離にし、さらに、突部１１の先端を１５〜６０度の角度にすることで、内部の光をより効果的に取り出すことができる。
また、突部１１の間の底辺１２Ａはフラット状（直線状）であるため、突部１１の間の底辺１２Ａで光が内部への反射量は上述した曲面の場合より多いと考えられるが、前述した従来の照明装置より光の取り出し効率がよい。
【００４５】
このように本実施の形態においては、照明装置２００は、筒状部材１０と、光源体２０と、端面部材３０と、反射板４０とから構成される。筒状部材１０の内周面に先端が鋭角である複数の突部１１が形成される。この突部１１は、筒状部材１０の長手方向に対して所定間隔を置いて幅方向に帯状とされ、筒状部材１０と同一材料で一体に成型され、突部１１の先端は、１５〜６０度の角度で形成される。
【００４６】
これにより、輝度むらをなくし、照明領域をより均一に照明することができ、さらに効率よく取り出すことができる。また、突部１１の先端部は、鋭角であるため、光の熱を蓄熱しにくい効果が得られる。
【００４７】
また、従来のようなシリコーンゴムの塗布、硬化等の複雑な製造過程が必要とせず、低コストを図ることができる。また、発光ダイオード光源を用いることで、消費電力も小さく、蛍光灯に代えて、安全に用いることができる。
【００４８】
次に、本発明の第３の実施の形態の照明装置について説明する。図７は、第３の実施の形態の照明装置３００の構成を示す図である。図７において、照明装置３００の断面を示している。
【００４９】
図７に示すように、照明装置３００は、筒状部材１０と、光源体２０と、端面部材３０と、反射板４０とから構成されている。
【００５０】
筒状部材１０は、透明または半透明樹脂から形成される２つの半筒状部材１０ａ，１０ｂより接着して構成される。接着は、接着剤を用いて、または超音波溶接を用いて行うことが考えられる。また、筒状部材１０の内周面に先端が鋭角である複数の突部１１，１１ａ，１１ｂ，１１ｃ，１１ｄ，１１ｅが形成される。これらの突部１１，１１ａ，１１ｂ，１１ｃ，１１ｄ，１１ｅは、筒状部材１０の長手方向に対して所定間隔をおき横方向に帯状とされ、筒状部材１０と同一材料で一体に成型される。
【００５１】
この例において、突部１１の高さをｈとし、突部１１ａの高さをｈ１、突部１１ｂの高さをｈ２、突部１１ｃの高さをｈ３、突部１１ｄの高さをｈ２、突部１１ｅの高さをｈ４とする。ここで、ｈ＜ｈ１＜ｈ２＜ｈ３＜ｈ４である。また、ｈ４は筒状部材１０の内径より小さい。
【００５２】
また、突部１１の先端の角度（先端部が曲面状に形成される場合、突部１１の両側辺より形成された角度）をθとし、突部１１ａの先端の角度をθ１、突部１１ｂの先端の角度をθ２、突部１１ｃの先端の角度をθ３、突部１１ｄの先端の角度をθ２、突部１１ｅの先端の角度をθ４とする。ここで、９０度＞θ＞θ１＞θ２＞θ３＞θ４である。
【００５３】
また、端面部材３０の光源体取付部３０ａは、透明基板（ベースのみ透明）で形成される。この光源体取付部３０ａは、接着等方法で端面部材３０に装着される。この場合、光源体２０は透明基板に実装される。また、ＬＥＤの位置を調整してより大量な光を内部に閉じこめるようにすることが可能である。
また、光源体２０および反射板４０の構成は、照明装置１００と同様である。
【００５４】
このように本実施の形態においては、照明装置３００は、筒状部材１０と、光源体２０と、端面部材３０と、反射板４０とから構成される。筒状部材１０の内周面に先端が鋭角である複数の突部１１，１１ａ，１１ｂ，１１ｃ，１１ｄ，１１ｅが形成される。これらの突部１１，１１ａ，１１ｂ，１１ｃ，１１ｄ，１１ｅは、筒状部材１０の長手方向に対して所定間隔を置いて幅方向に帯状とされ、筒状部材１０と同一材料で一体に成型される。
【００５５】
これにより、輝度むらをなくし、照明領域をより均一に照明することができ、さらに効率よく取り出すことができる。また、突部１１，１１ａ，１１ｂ，１１ｃ，１１ｄ，１１ｅの先端部は、鋭角であるため、光の熱を蓄熱しにくい効果が得られる。さらに、異なる高さを有する突部を設け、かつ筒状部材１０の中央に位置する突部１１ｅは、最も高くすることで、光が突部１１ａ，１１ｂ，１１ｃ，１１ｄ，１１ｅ等の先端部に当たって乱反射されて、光の乱反射量を増加させることでき、光をより多く取り出すことができる。
【００５６】
図８は、筒状部材１０の他の構成例を示す図である。この図８において、筒状部材１０の局部横断面を示している。
【００５７】
この場合、筒状部材１０の外表面において、長手方向にレンズ機能を有する複数の帯状の凸部１３が形成されていること以外に、前述した照明装置１００、２００、または３００の構成と同様である。なお、筒状部材１０の外表面に、レンズ機能を有する複数の点状の凸部が形成されるようにしてもよい。
【００５８】
これにより、輝度むらをなくし、照明領域をより均一に照明することができ、光を効率よく取り出すことができると共に、筒状部材１０の外表面に形成された帯状の凸部により拡光効果を向上し、より明るい照明装置を得ることができる。
【００５９】
また、図８に示すように、配線部材２１は、半筒状部材１０ａ，１０ｂの継ぎ目の中に配設される。この場合、半筒状部材１０ａ，１０ｂの成型時に予め突部１１の根元の位置に配線用孔部を形成する。組立時に配線部材２１，２２を挿入して配線する。
【００６０】
次に、本発明の第４の実施の形態の照明装置について説明する。図９は、第４の実施の形態の照明装置の構成を示す断面図である。図９において、照明装置４００の２つの照明ユニットを接続される前の状態を示している。図１０は、照明装置４００の２つの照明ユニットを接続された状態を示す局部拡大図である。
【００６１】
図９に示すように、照明装置４００は、複数の照明ユニットから構成されるものである。この場合、照明ユニットの間に、光を反射させる反射板が設けられる。各照明ユニットは、筒状部材１０と、光源体２０と、配線手段２１，２２と、端面部材３０Ａ，３０Ｂと、反射板４０とから構成される。
【００６２】
筒状部材１０は、前述した照明装置２００の構成と同様である。また、端面部材３０Ａは、中央部に凸部３１が形成されている。端面部材３０Ｂは、中央部に凹部３２が形成されている。端面部材３０Ａ，３０Ｂは、凸部３１、凹部３２により互いに嵌合可能である。照明ユニットの両端（即ち、筒状部材１０の両端）にそれぞれ凸部３１および凹部３２を有する端面部材３０Ａ，３０Ｂが装着される。
【００６３】
配線手段２１，２２は、導電材からコ字型に形成され、筒状部材１０に着脱可能に装着することができる。配線手段２１，２２は、筒状部材１０に装着されると、筒状部材１０の両端に配置された光源体２０が電気的に接続され、配線手段２１，２２を介して光源体２０に電力を供給することができる。
【００６４】
照明ユニットを連結する際に、凸部３１と凹部３２を有する２つの端面部材３０Ａ，３０Ｂを嵌合させると、隣接する２つの照明ユニットの配線手段２１，２２がそれぞれ電気的に接続される（図１０参照）。これにより、照明ユニットを連結する際、接線するための半田付けは不要となる。
【００６５】
また、反射板４０は、両面に光を反射させるための鏡面を有し、直径は筒状部材１０の内径より小さく形成される。反射板４０の直径を小さくすることで、接続部空間の輝度むらをなくし、照明領域をより均一に照明することができる。また、反射板４０の中央部に孔が設けられており、これにより端面部材３０Ａ，３０Ｂの凸部３１または凹部３２の外周面に装着することができる。照明ユニットを連結する際に、隣接する２つの照明ユニットの間に１つの反射板４０を設けるようになされる。
【００６６】
このように本実施の形態においては、照明装置４００は、複数の照明ユニットから構成され、各照明ユニットは、筒状部材１０と、光源体２０と、配線手段２１，２２と、端面部材３０Ａ，３０Ｂと、反射板４０とから構成される。筒状部材１０の内周面に先端が鋭角である複数の突部１１が形成される。この突部１１は、筒状部材１０の長手方向に対して所定間隔を置いて幅方向に帯状とされ、筒状部材１０と同一材料で一体に成型され、また、突部１１の間の底辺は凹形の曲面、例えば半円形に形成されており、突部１１の先端は、１５〜６０度の角度で形成される。
【００６７】
これにより、輝度むらをなくし、照明領域をより均一に照明することができ、光を効率よく取り出すことができると共に、必要に応じて大ワット数、例えば２０Ｗ、４０Ｗの照明装置を容易に構成することができる。
【００６８】
なお、上述実施の形態においては、筒状部材１０が円筒状に形成されるものについて説明したが、これに限定されるものではない。例えば、図１１に示す楕円形断面を有する筒状に、または、図１２に示す長円形断面を有する筒状にしてもよい。この場合、楕円形断面または長円形断面の短軸方向の幅が小さいため、光の出射効率がよい。また、光源体２０を一列に配置することができる。
【００６９】
また、上述した第１、第２、第３の実施の形態において、照明装置１００、２００、３００には、照明装置４００に用いられる端面部材３０Ａ，３０Ｂを装着するようにしてもよい。
【００７０】
また、上述した第４の実施の形態において、照明装置４００は、隣接する２つの照明ユニットの端面部材３０Ａ，３０Ｂにより連結する場合について説明したが、これに限定されるものではない。例えば、照明装置２００のような照明ユニットを用いて、各照明ユニットの配線部材２１，２２をそれぞれ半田付けで接続してから透明パイプの中に挿入して固定するようにしてもよい。
【産業上の利用可能性】
【００７１】
この発明は、一端または両端に光源を配置する管状照明装置、特に、発光ダイオード（ＬＥＤ）を光源として用いられた照明装置に利用することができ、また、蛍光灯に代えて、安全、且つ省エネルギーの照明装置を提供する目的に利用できる。
【図面の簡単な説明】
【００７２】
【図１】第１の実施の形態の照明装置の構成を示す斜視図である。
【図２】第１の実施の形態の照明装置の構成を示す断面図である。
【図３】照明装置１００の構成を示すＡ−Ａ断面図である。
【図４】照明装置１００の光拡散状態を示す局部拡大図である。
【図５】第２の実施の形態の照明装置の構成を示す断面図である。
【図６】照明装置２００の光拡散状態を示す局部拡大図である。
【図７】第３の実施の形態の照明装置の構成を示す断面図である。
【図８】筒状部材１０の他の構成例を示す局部拡大図である。
【図９】第４の実施の形態の照明装置の構成を示す断面図である。
【図１０】照明装置４００の２つの照明ユニットを接続された状態を示す局部拡大図である。
【図１１】楕円形断面を有する筒状部材１０の断面図である。
【図１２】長円形断面を有する筒状部材１０の断面図である。
【図１３】従来の照明装置の構成を示す図である。
【符号の説明】
【００７３】
１０  筒状部材
１０ａ，１０ｂ  半筒状部材
１１，１１ａ，１１ｂ，１１ｃ，１１ｄ，１１ｅ  突部
１２，１２Ａ  底辺
１３  帯状の凸部
２０  光源体
２１，２２  配線手段
３０，３０Ａ，３０Ｂ  端面部材
３０ａ  光源体取付部
４０  反射板
１００，２００，３００，４００  照明装置
【図１】
2007200612.tif 000003
【図２】
2007200612.tif 000004
【図３】
2007200612.tif 000005
【図４】
2007200612.tif 000006
【図５】
2007200612.tif 000007
【図６】
2007200612.tif 000008
【図７】
2007200612.tif 000009
【図８】
2007200612.tif 000010
【図９】
2007200612.tif 000011
【図１０】
2007200612.tif 000012
【図１１】
2007200612.tif 000013
【図１２】
2007200612.tif 000014
【図１３】
2007200612.tif 000015